【手続補正書】
【提出日】平成29年11月2日(2017.11.2)
【手続補正１】
【補正対象書類名】明細書
【補正対象項目名】発明の名称
【補正方法】変更
【補正の内容】
【発明の名称】耳装着型音発生装置
【手続補正２】
【補正対象書類名】明細書
【補正対象項目名】０００１
【補正方法】変更
【補正の内容】
【０００１】
本発明は、耳に装着されてリズム音を耳穴の近傍で出力する耳装着型音発生装置に関する。
【手続補正３】
【補正対象書類名】明細書
【補正対象項目名】０００７
【補正方法】変更
【補正の内容】
【０００７】
本発明は、小型軽量に構成して耳へ装着する負担が少ない状態でインターバルトレーニング等、二種類のリズムを交互に使用する用途に対応できる耳装着型音発生装置を提供することを目的としている。
【手続補正４】
【補正対象書類名】明細書
【補正対象項目名】０００８
【補正方法】変更
【補正の内容】
【０００８】
本発明の耳装着型音発生装置は、第１リズムの速度及び継続時間と、前記第１リズムとは速度が異なる第２リズムの速度及び継続時間と、を設定する操作が可能な設定部と、前記設定部により設定された速度及び継続時間により前記第１リズムと前記第２リズムの信号を交互に出力する信号発生部と、前記信号発生部に電力を供給する電池と、前記信号発生部が出力した前記信号に駆動されてリズム音を発生する音発生部と、耳に装着されて前記設定部、前記信号発生部、前記電池、及び前記音発生部を相互に置決めて保持する筐体と、を備えるものである。
【手続補正５】
【補正対象書類名】明細書
【補正対象項目名】０００９
【補正方法】変更
【補正の内容】
【０００９】
本発明の耳装着型音発生装置によると、小型軽量に構成して耳へ装着する負担が少ない状態でインターバルトレーニング等、二種類のリズムを交互に使用する用途に対応できる耳装着型音発生装置を提供することができる。
【手続補正６】
【補正対象書類名】明細書
【補正対象項目名】００１０
【補正方法】変更
【補正の内容】
【００１０】
【図１】実施の形態１の耳装着型音発生装置の装着状態の斜視図である。
【図２】耳装着型音発生装置の斜視図である。
【図３】耳装着型音発生装置の組み立て構造の説明図である。
【図４】耳装着型音発生装置の回路図の説明図である。
【図５】リズム信号の説明図である。
【図６】インターバルモードのリズム出力の制御のフローチャートである。
【図７】耳装着型音発生装置のリズム設定の制御のフローチャートである。
【図８】インターバル終了予告の制御のフローチャートである。
【図９】単一リズムモード及びタイマーモードのフローチャートである。
【手続補正７】
【補正対象書類名】明細書
【補正対象項目名】００１２
【補正方法】変更
【補正の内容】
【００１２】
＜実施の形態１＞  
（耳装着型音発生装置）
図１は実施の形態１の耳装着型音発生装置の装着状態の斜視図である。図２は耳装着型音発生装置の斜視図である。図１に示すように、耳装着型耳装着型音発生装置の一例である耳装着型音発生装置１０は、本体筐体１１が耳に係合し、耳に支持される。耳装着型音発生装置１０は、本体筐体１１とクリップ部（１３：図２）とで耳たぶ１ｃを挟み込んだ状態で、円板状の頭部１２が、耳穴１ａを囲む耳の窪み１ｂに嵌まり込んで、本体筐体１１が耳面上に保持される。
【手続補正８】
【補正対象書類名】明細書
【補正対象項目名】００１３
【補正方法】変更
【補正の内容】
【００１３】
クリップ部１３は、頭部１２に収納した電子ブザー素子（６２：図３）を耳孔の周囲の窪みに位置させた状態で、本体筐体１１との間に耳を挟み込み可能である。ユーザーは、耳装着型音発生装置１０を装着する際に、頭部１２が耳の窪み１ｂに位置決められるように、本体筐体１１を移動させることにより、クリップ部（１３：図２）で耳たぶ１ｃを挟み込む位置を選んでいる。
【手続補正９】
【補正対象書類名】明細書
【補正対象項目名】００１７
【補正方法】変更
【補正の内容】
【００１７】
ＯＮ／ＯＦＦスイッチ５３は、本体筐体１１の背面に設けられて、耳装着型音発生装置１０の動作をＯＮ／ＯＦＦする。耳装着型音発生装置１０は、ＯＮ／ＯＦＦスイッチ５３を短く１回押すごとに、リズム音を発生し続けるＯＮ状態と電源がＯＦＦされてリズム音を発生しなくなるＯＦＦ状態とに切り替わる。
【手続補正１０】
【補正対象書類名】明細書
【補正対象項目名】００１８
【補正方法】変更
【補正の内容】
【００１８】
表示部５１は、本体筐体１１に収容されて数値を表示する。表示部５１は、表示された数値を上方から視認可能である。本体筐体１１のクリップ部１３側の端面を挟む両側面に一対の設定スイッチ５４、５５が配置される。耳装着型音発生装置１０は、設定スイッチ５４、５５を押して表示部５１に表示されたリズムのパラメータを変更することができる。
【手続補正１１】
【補正対象書類名】明細書
【補正対象項目名】００１９
【補正方法】変更
【補正の内容】
【００１９】
耳装着型音発生装置１０は、ＯＮ／ＯＦＦスイッチ５３の長押しを用いて、後述するインターバルモードの２種類のリズムの速度と継続時間とを任意に設定できる設定モードへ移行可能である。耳装着型音発生装置１０は、ＯＮ／ＯＦＦスイッチ５３を長押しすると、設定モードが開始して、表示部５１に現在設定されているリズムの毎分拍数が表示される。表示部５１にリズムの毎分拍数が表示された状態で設定スイッチ５４を押すと、１回押すごとに表示部５１に表示された毎分拍数の数値が１０刻みで増加する。設定スイッチ５４の反対側の設定スイッチ５５を押すと、１回押すごとに表示部５１に表示された毎分拍数の数値が１０刻みで減少する。表示部５１に表示された三桁の数値を用いて、０〜２００の範囲で１０刻みの毎分拍数を設定可能である。このようにして、耳装着型音発生装置１０に所望の毎分拍数を設定する。
【手続補正１２】
【補正対象書類名】明細書
【補正対象項目名】００２０
【補正方法】変更
【補正の内容】
【００２０】
表示部５１にリズムの毎分拍数が表示された状態でＯＮ／ＯＦＦスイッチ５３を押すと、表示部５１に現在設定されているリズムの継続時間が分単位で表示される。表示部５１にリズムの継続時間が表示された状態で設定スイッチ５４を押すと、１回押すごとに表示部５１に表示された継続時間の数値が１刻みで増加する。設定スイッチ５４の反対側の設定スイッチ５５を押すと、１回押すごとに表示部５１に表示された継続時間の数値が１刻みで減少する。表示部５１に表示された三桁の数値を用いて、０〜９９９分の範囲で１分刻みの継続時間を設定可能である。このようにして、耳装着型音発生装置１０に所望の継続時間を設定する。
【手続補正１３】
【補正対象書類名】明細書
【補正対象項目名】００２１
【補正方法】変更
【補正の内容】
【００２１】
本体筐体１１のクリップ部１３側の端面に音量切り替えスイッチ５６が配置される。耳装着型音発生装置１０は、音量切り替えスイッチ５６をスライドさせて、リズム音の音量を大小二段階に切り替え可能である。
【手続補正１４】
【補正対象書類名】明細書
【補正対象項目名】００２２
【補正方法】変更
【補正の内容】
【００２２】
（内部構造）
図３は耳装着型音発生装置の組み立て構造の説明図である。図３に示すように、クリップ部１３は、ピン１３ｐによって下筐体１１ｂの柱部１４に回動可能に取り付けられている。クリップ部１３に設けたばね構造１３ｂによって、クリップ部１３は、下筐体１１ｂとの間にデテント機構を構成して耳を挟み込む。
【手続補正１５】
【補正対象書類名】明細書
【補正対象項目名】００２３
【補正方法】変更
【補正の内容】
【００２３】
上筐体１１ａと下筐体１１ｂの間に回路基板６０が配置される。回路基板６０の下面に、耳装着型音発生装置１０のリズム発生回路及び制御回路を構成するマイコン素子の集積回路５０が配置される。回路基板６０の上面に表示部５１が配置される。表示部５１は、３桁又は４桁の数値を表示可能な液晶素子である。回路基板６０の回路パターン上に、ＯＮ／ＯＦＦスイッチ（５３：図２）の電極であるドーム接点５３ｂが配置される。押しボタン５３ａは、上筐体１１ａに昇降可能に保持され、ドーム接点５３ｂを押圧する。
【手続補正１６】
【補正対象書類名】明細書
【補正対象項目名】００２８
【補正方法】変更
【補正の内容】
【００２８】
（回路図）
図４は耳装着型音発生装置の回路図の説明図である。図５はリズム信号の説明図である。図５中、（ａ）はインターバルモード、（ｂ）は単一リズムモード、（ｃ）はタイマーモード、（ｄ）はリズム切り替えの予告である。
【手続補正１７】
【補正対象書類名】明細書
【補正対象項目名】００４２
【補正方法】変更
【補正の内容】
【００４２】
（リズム設定）
図７は耳装着型音発生装置のリズム設定の制御のフローチャートである。図７に示すように、ＣＰＵ５０ａは、ＯＮ／ＯＦＦスイッチ５３が２秒押し続けられると（Ｓ３１のＹｅｓ）、リズム設定モードを開始する（Ｓ３２）。リズム設定モードでは、リズム１の速度、リズム１の出力時間、リズム２の速度、リズム２の出力時間を順番に設定可能である。
【手続補正１８】
【補正対象書類名】明細書
【補正対象項目名】００４８
【補正方法】変更
【補正の内容】
【００４８】
（音量差及び切り替え予告）
図８はインターバル終了予告の制御のフローチャートである。ウォーキングやランニングにおいて移動速度が大きい場合、風の音等で雑音が増え、リズム音を聞く集中力も下がる。このため、図５の（ａ）に示すように、耳装着型音発生装置１０は、リズム速度が高い場合はリズム速度が低い場合よりも音量を上げて、リズムを聞き逃さないようにする。一方、速度が小さい場合、音を聞く集中力が上がってリズム音が大きく聞こえるので、音量を下げてうるさく感じないようにする。集積回路５０は、リズム１とリズム２とのうちの一方が他方よりもリズムの速度を大きく設定された場合、大きく設定されたほうの信号の出力を他方の信号の出力よりも大きくする。
【手続補正１９】
【補正対象書類名】明細書
【補正対象項目名】００４９
【補正方法】変更
【補正の内容】
【００４９】
また、気持ちの準備ができていない状態でリズム速度が突然切り替わると、リズムの変化に対応できない場合がある。このため、図５の（ｄ）に示すように、耳装着型音発生装置１０は、二拍子でリズム出力を行って残時間が１０秒になると三拍子にリズムを切り替える。これにより、リズム速度の切り替わりを予告して、切り替わり時のショックを軽減する。なお、図５の（ａ）では、図示の都合上、リズム１とリズム２とを最初から最後まで二拍子のリズムで記載した。しかし、実際には、リズム１とリズム２とは、いずれも最後の１０秒間がそれぞれ三拍子のリズムに変更されている。集積回路５０は、リズム１とリズム２とのうちの少なくとも一方における設定された継続時間が終了する所定時間前にリズムの種類を変化させる。
【手続補正２０】
【補正対象書類名】明細書
【補正対象項目名】００５３
【補正方法】変更
【補正の内容】
【００５３】
（単一リズムモード及びタイマーモード）
図９は単一リズムモード及びタイマーモードのフローチャートである。耳装着型音発生装置１０は、複数のモードから１つのモードを選択して設定する操作が可能である。耳装着型音発生装置１０は、リズム１の継続時間の設定時間を「０」に設定することで、メトロノームとして利用することができる。第２のモードの一例である単一リズムモードでは、リズムの速度を設定した１種類のリズムを出力する。図５の（ｂ）に示すように、設定されたリズム速度の毎分拍数で、リズム１のみを出力し続ける。集積回路５０は、リズム１の継続時間が０に設定された場合は、リズム１の信号を出力し続ける。
【手続補正２１】
【補正対象書類名】明細書
【補正対象項目名】００５４
【補正方法】変更
【補正の内容】
【００５４】
また、耳装着型音発生装置１０は、リズム１のリズム速度の毎分拍数を「０」に設定することで、タイマーとして利用することができる。第３のモードの一例であるタイマーモードでは、設定した継続時間の経過時にアラームを出力する。図５の（ｃ）に示すように、リズム音を発生することなくタイムカウントを実行して設定時間のタイムカウント終了時に耳穴の近くでアラーム音を出力する。集積回路５０は、リズム１の速度が０に設定された場合は、リズム１の継続時間の終了時に通常のリズム音とは異なるアラーム音の信号を出力する。
【手続補正２２】
【補正対象書類名】明細書
【補正対象項目名】００５９
【補正方法】変更
【補正の内容】
【００５９】
（実施の形態１の効果）
実施の形態１では、耳装着型音発生装置１０は、小型軽量であって、耳に係合して支持されるので、ＩＣレコーダ又はスマートフォンを用いてヘッドホンでリズムを聞く場合に比較して、携帯性に優れ、インターバルモードを用いて激しい運動と緩やかな運動を繰り返す際にも邪魔にならない。
【手続補正２３】
【補正対象書類名】明細書
【補正対象項目名】００６１
【補正方法】変更
【補正の内容】
【００６１】
実施の形態１では、表示部５１を用いて設定した速度及び継続時間で、リズム１の信号とリズム２の信号とを交互に出力する。このため、設定のための電源や機器を必要とせず、任意の場所で、耳装着型音発生装置１０だけを操作して任意の速度と継続時間の組み合わせを自在に設定できる。そして、直ちにインターバルトレーニングを開始できる。
【手続補正２４】
【補正対象書類名】明細書
【補正対象項目名】００６６
【補正方法】変更
【補正の内容】
【００６６】
＜その他の実施の形態＞
実施の形態１では、本体筐体１１とクリップ部１３とで耳たぶ１ｃを挟み込んで耳装着型音発生装置１０を耳面上に保持した。しかし、耳装着型音発生装置は、他の形態で耳に装着されてもよい。例えば、耳穴に挿入して装着するいわゆるカナル型の補聴器に類似した筐体で実施してもよく、耳にフックをひっかけて耳と後頭部の間に保持されるフック型の補聴器に類似した筐体で実施してもよい。
【手続補正２５】
【補正対象書類名】明細書
【補正対象項目名】００７１
【補正方法】変更
【補正の内容】
【００７１】
１：耳、１ａ：耳穴、１ｂ：耳の窪み、１ｃ：耳たぶ、
１０：耳装着型音発生装置、１１：本体筐体、１２：頭部、１３：クリップ部、
５０：集積回路（信号発生部）、５１：表示部（設定部）、５３：ＯＮ／ＯＦＦスイッチ（設定部）、５４、５５：設定スイッチ（設定部）、５８：マイコン素子、
６０：回路基板、６１：電池、６２：電子ブザー素子（音発生部）
【手続補正２６】
【補正対象書類名】特許請求の範囲
【補正対象項目名】全文
【補正方法】変更
【補正の内容】
【特許請求の範囲】
【請求項１】
第１リズムの速度及び継続時間と、前記第１リズムとは速度が異なる第２リズムの速度及び継続時間と、を設定する操作が可能な設定部と、
前記設定部により設定された速度及び継続時間により前記第１リズムの信号と前記第２リズムの信号とを交互に出力する信号発生部と、
前記信号発生部に電力を供給する電池と、
前記信号発生部が出力したリズムの信号に駆動されてリズム音を発生する音発生部と、
耳に装着されて前記設定部、前記信号発生部、前記電池、及び前記音発生部を保持する筐体と、を備えることを特徴とする耳装着型音発生装置。
【請求項２】
前記設定部は、
複数桁の数値を表示可能な表示素子と、
前記表示素子に数値で表示される前記第１リズム及び前記第２リズムの速度及び継続時間を所定の順序で切り替える操作を入力する変更スイッチと、
前記表示素子に表示された数値を増加させる操作を入力する増加スイッチと、
前記表示素子に表示された数値を減少させる操作を入力する減少スイッチと、を有することを特徴とする請求項１に記載の耳装着型音発生装置。
【請求項３】
前記設定部は、前記変更スイッチを押すごとに、前記第１リズムの速度、前記第１リズムの種類、前記第１リズムの継続時間、前記第２リズムの速度、前記第２リズムの種類、前記第２リズムの継続時間、を順番に前記表示素子に表示して、前記増加スイッチ及び前記減少スイッチによる前記表示素子に表示された数値の変更を可能にすることを特徴とする請求項２に記載の耳装着型音発生装置。
【請求項４】
前記信号発生部は、前記設定部により前記第１リズムの継続時間が規定数値に設定された場合は、前記第１リズムの信号を出力し続けることを特徴とする請求項１乃至３のいずれか１項に記載の耳装着型音発生装置。
【請求項５】
前記信号発生部は、前記設定部により前記第１リズムの速度が規定数値に設定された場合は、前記第１リズムの信号を出力することなく、前記第１リズムの継続時間の終了時に前記リズム音とは異なるアラーム音の信号を出力することを特徴とする請求項１乃至４のいずれか１項に記載の耳装着型音発生装置。
【請求項６】
前記信号発生部は、前記第１リズムと前記第２リズムとのうちの一方が他方よりも前記設定部によりもリズムの速度を大きく設定された場合、前記一方の前記信号の出力を前記他方の前記信号の出力よりも大きくすることを特徴とする請求項１乃至５のいずれか１項に記載の耳装着型音発生装置。
【請求項７】
前記信号発生部は、前記第１リズムと前記第２リズムとのうちの少なくとも一方における設定された継続時間が終了する所定時間前にリズムの種類又は出力の大きさを変化させることを特徴とする請求項１乃至６のいずれか１項に記載の耳装着型音発生装置。
【請求項８】
前記音発生部を耳孔の周囲の窪みに保持させた状態で前記筐体との間に耳を厚み方向に挟み込み可能なクリップ部を備えることを特徴とする請求項１乃至７のいずれか１項に記載の耳装着型音発生装置。
【請求項９】
リズムの速度及び継続時間を設定する操作と、複数のモードから１つのモードを選択して設定する操作と、が可能な設定部と、
前記設定部により設定された速度、継続時間、及びモードに基づく信号を出力する信号発生部と、
前記信号発生部に電力を供給する電池と、
前記信号発生部が出力した信号に駆動されて音を発生する音発生部と、
耳に装着されて前記設定部、前記信号発生部、前記電池、及び前記音発生部を保持する筐体と、を備え、
前記信号発生部は、前記設定部により速度と継続時間とを設定した２種類のリズムを交互に出力する第１のモードと、前記設定部により速度を設定した１種類のリズムを出力する第２のモードと、前記設定部により設定した継続時間の経過時にアラームを出力する第３のモードと、から前記設定部により設定された１つのモードを実行することを特徴とする耳装着型音発生装置。